(57)【要約】【課題】吸収能力を低下させることなく、吸収性物品の薄型化を図り得るようにする。【解決手段】パルプと高吸収性ポリマーとからなる吸収体１を液透過性の表面シート２によって被包してなる吸収性物品において、前記吸収体１の下面と前記表面シート２とを、ホットメルト接着剤を全面あるいは部分的に塗布してなる第１接着層６と高吸収性ポリマーを混入したホットメルト接着剤を部分的に塗布してなる第２接着層３とからなる下層接着層Ａを介して接着して、下層接着層Ａも吸収性能を有するように構成し、もって吸収体１の薄型化を図るようにしている。【選択図】　　　　図１
2004024569.tif 000002
【特許請求の範囲】
【請求項１】
パルプと高吸収性ポリマーとからなる吸収体を液透過性の表面シートによって被包してなる吸収性物品であって、前記吸収体の下面と前記表面シートとを、ホットメルト接着剤を全面あるいは部分的に塗布してなる第１接着層と高吸収性ポリマーを混入したホットメルト接着剤を部分的に塗布してなる第２接着層とからなる下層接着層を介して接着したことを特徴とする吸収性物品。
【請求項２】
前記吸収体の下面と前記下層接着層との間には、高吸収性ポリマーを散布してなる吸収層を介在させたことを特徴とする前記請求項１記載の吸収性物品。
【請求項３】
前記吸収体の下面と前記下層接着層との間には、少なくとも一層の液透過性の中間シートを介在させたことを特徴とする前記請求項１記載の吸収性物品。
【請求項４】
前記吸収体の上面と前記表面シートとを、ホットメルト接着剤を部分的に塗布してなる第１接着層と高吸収性ポリマーを混入したホットメルト接着剤を部分的に塗布してなる第２接着層とからなる上層接着層を介して接着したことを特徴とする前記請求項１、２および３のいずれか一項記載の吸収性物品。
【請求項５】
パルプと高吸収性ポリマーとからなる吸収体を液透過性の表面シートによって被包してなり、前記吸収体の下面と前記表面シートとを、ホットメルト接着剤を全面あるいは部分的に塗布してなる接着層を介して接着した吸収性物品であって、前記吸収体の上面と前記表面シートとを、ホットメルト接着剤を部分的に塗布してなる第１接着層と高吸収性ポリマーを混入したホットメルト接着剤を部分的に塗布してなる第２接着層とからなる上層接着層を介して接着したことを特徴とする吸収性物品。
【発明の詳細な説明】
【０００１】
【発明の属する技術分野】
本願発明は、使い捨ておむつ、生理用品等の吸収体コアとして使用される吸収性物品に関するものである。
【０００２】
【従来の技術】
従来の吸収性物品は、パルプと高吸収性ポリマーとからなる吸収体を液透過性の表面シートによって被包して構成されており、吸収体下面と表面シートとは、全面塗布あるいは部分塗布されたホットメルト接着剤により接着される一方、吸収体上面と表面シートとは、部分的に塗布されたホットメルト接着剤により接着されることとなっている。
【０００３】
【発明が解決しようとする課題】
上記した従来の吸収性物品に使用されているホットメルト接着剤は、単なる接着剤であって、接着能力しかなく、吸収能力を保有していなかった。
【０００４】
ところで、上記吸収性物品は、薄型化される傾向にあり、吸収体自体を薄型化したいという要求がある。ところが、吸収体自体を薄型化するためにパルプ量を減らすと、パルプ中に含まれる高吸収性ポリマーの量も減少させる必要がある。即ち、高吸収性ポリマーを減少させなければ高吸収性ポリマーがパルプ繊維に十分絡まず、高吸収性ポリマーの吸収体への固着性が悪くなり、高吸収性ポリマーの吸収体からの漏れ、高吸収性ポリマーのざらつきによる手触り感の悪化などが起こり、品質劣化が発生する。これを防止するために減少したパルプ量に比例して高吸収性ポリマーの量を減少させると、吸収体自体の吸収能力が低下するという不具合が生ずる。
【０００５】
本願発明は、上記の点に鑑みてなされたもので、吸収能力を低下させることなく、吸収性物品の薄型化を図り得るようにすることを目的とするものである。
【０００６】
【課題を解決するための手段】
請求項１の発明では、上記課題を解決するための手段として、パルプと高吸収性ポリマーとからなる吸収体を液透過性の表面シートによって被包してなる吸収性物品において、前記吸収体の下面と前記表面シートとを、ホットメルト接着剤を全面あるいは部分的に塗布してなる第１接着層と高吸収性ポリマーを混入したホットメルト接着剤を部分的に塗布してなる第２接着層とからなる下層接着層を介して接着している。
【０００７】
上記のように構成したことにより、下層接着層も吸収性能を有することとなるため、吸収体における高吸収性ポリマーを減量しても吸収性物品の必要吸収能力を確保することが可能となる。その結果、吸収体中のパルプ量も減量できることとなり、吸収体の薄型化を図ることができる。また、ホットメルト接着剤を全面あるいは部分的に塗布してなる第１接着層と高吸収性ポリマーを混入したホットメルト接着剤を部分的に塗布してなる第２接着層とによって下層接着層を構成するようにしているため、高吸収性ポリマーの飛散を防止することもできる。
【０００８】
請求項２の発明におけるように、請求項１記載の吸収性物品において、前記吸収体の下面と前記下層接着層との間に、高吸収性ポリマーを散布してなる吸収層を介在させた場合、吸収層も吸収性能を発揮することができるので、吸収体における高吸収性ポリマーの量をさらに減量できることとなり、吸収体のさらなる薄型化を図ることができる。
【０００９】
請求項３の発明におけるように、請求項１記載の吸収性物品において、前記吸収体の下面と前記下層接着層との間に、少なくとも一層の液透過性の中間シートを介在させた場合、液透過性の中間シートの介在により下層接着層に吸収された液体を分散させることができることとなり、吸収性能のより一層の向上を図ることができる。なお、前記中間シートとして吸収性能を有するものを採用すれば、吸収体における高吸収性ポリマーの量をさらに減量できることとなり、吸収体のさらなる薄型化を図ることもできる。
【００１０】
請求項４の発明におけるように、請求項１、２および３のいずれか一項記載の吸収性物品において、前記吸収体の上面と前記表面シートとを、ホットメルト接着剤を部分的に塗布してなる第１接着層と高吸収性ポリマーを混入したホットメルト接着剤を部分的に塗布してなる第２接着層とからなる上層接着層を介して接着した場合、一旦吸収体に吸収された液体の逆戻りが、高吸収性ポリマーを混入してなるホットメルト接着剤を部分的に塗布してなる第２接着層を含む上層接着層によって防止されることとなり、逆戻り防止性能が向上する。
【００１１】
請求項５の発明では、上記課題を解決するための手段として、パルプと高吸収性ポリマーとからなる吸収体を液透過性の表面シートによって被包してなり、前記吸収体の下面と前記表面シートとを、ホットメルト接着剤を全面あるいは部分的に塗布してなる接着層を介して接着した吸収性物品において、前記吸収体の上面と前記表面シートとを、ホットメルト接着剤を部分的に塗布してなる第１接着層と高吸収性ポリマーを混入したホットメルト接着剤を部分的に塗布してなる第２接着層とからなる上層接着層を介して接着している。
【００１２】
上記のように構成したことにより、上層接着層も吸収性能を有することとなるため、吸収体における高吸収性ポリマーを減量しても吸収性物品の必要吸収能力を確保することが可能となる。その結果、吸収体中のパルプ量も減量できることとなり、吸収体の薄型化を図ることができる。
【００１３】
【発明の実施の形態】
以下、添付の図面を参照して、本願発明の幾つかの好適な実施の形態について詳述する。
【００１４】
第１の実施の形態
図１ないし図３には、本願発明の第１の実施の形態にかかる吸収性物品が示されている。
【００１５】
この吸収性物品は、図１に示すように、パルプと高吸収性ポリマーとからなる吸収体１を液透過性の表面シート２によって被包して構成されており、前記吸収体１の下面と前記表面シート２とは、ホットメルト接着剤を全面に塗布してなる第１接着層６と高吸収性ポリマーを混入たホットメルト接着剤を部分的に塗布してなる第２接着層３とからなる下層接着層Ａを介して接着される一方、前記吸収体１の上面と前記表面シート１とは、ホットメルト接着剤を部分的に塗布してなる第１接着層５と吸収性能を有する高吸収性ポリマーを混入したホットメルト接着剤を部分的に塗布してなる第２接着層４とからなる上層接着層Ｂを介して接着されている。前記表面シート２としては、クレープ紙あるいは不織布が採用される。
【００１６】
前記下層接着層Ａにおける第１接着層６は、ホットメルト接着剤を全面塗布したカーテンのりとされ、前記下層接着層Ａにおける第２接着層３および前記上層接着層Ｂにおける第２接着層４は、図２に示すように、高吸収性ポリマーを混入したホットメルト接着剤をスパイラル形状に塗布したスパイラルのりとされ、前記上層接着層Ｂにおける第１接着層５は、高吸収性ポリマーを混入していないホットメルト接着剤をスパイラル形状に塗布したスパイラルのりとされている。なお、下層接着層Ａにおける第２接着層３、上層接着層Ｂにおける第１、第２接着層５，４は、スパイラル形状に限定されるものではなく、部分的に塗布されるものであれば、直線形状あるいは点線形状とすることもできる。
【００１７】
ところで、上記高吸収性ポリマーとしては、例えば、ポリアクリル酸ナトリウム（アクリル酸ービニルアルコール）共重合体、ポリアクリル酸ナトリウム架橋体、（でんぷんーアクリル酸）グラフト共重合体、（イソブチレンー無水マレイン酸）共重合体およびその鹸化物、ポリアスパラギン酸等、従来から知られている各種のものを用いることができ、これらは一種を単独で用いても良いし、複数種類のポリマーを任意の割合で混合して用いても良い。
【００１８】
また、ホットメルト接着剤に混合する高吸収性ポリマーの割合は、ホットメルト接着剤が接着能力を持つものとなるように、８０重量％以下とするのが望ましい。
【００１９】
また、ホットメルト接着剤の塗布量は、所望の吸収性物品の仕様に応じて調整されるのが望ましい。
【００２０】
ついで、図３を参照して、上記構成の吸収性物品の製造手順例を説明すると、矢印方向に移送される表面シート２上に、接着剤塗布ノズル９を用いて高吸収性ポリマーを混入していないホットメルト接着剤を全面塗布してカーテン形状の第１接着層６を形成し、次いで、接着剤塗布ノズル７を用いて高吸収性ポリマーを混入したホットメルト接着剤を部分塗布して第２接着層３を形成して下層接着層Ａを形成し、該下層接着層Ａ上に吸収体１を積層した後、該吸収体１の上面に、接着剤塗布ノズル１０を用いて高吸収性ポリマーを混入していないホットメルト接着剤をスパイラル形状に塗布して第１接着層５を形成し、次いで、接着剤塗布ノズル８を用いて高吸収性ポリマーを混入したホットメルト接着剤をスパイラル形状に塗布して上層接着層Ｂを形成する。その後、次工程において表面シート２をセーラー折りすることにより吸収性物品が製造されることとなっている。
【００２１】
上記のように構成したことにより、下層接着層Ａも吸収性能を有することとなるため、吸収体１における高吸収性ポリマーを減量しても吸収性物品の必要吸収能力を確保できることとなる。その結果、吸収体１中のパルプ量も減量できることとなり、吸収体１の薄型化を図ることができる。また、ホットメルト接着剤に高吸収性ポリマーを混入させたものを塗布するようにしているため、高吸収性ポリマーの飛散を防止することもできる。
【００２２】
さらに、一旦吸収体１に吸収された液体の逆戻りが、上層接着層Ｂを構成する第２接着層４によって防止されることとなるため、逆戻り防止性能が向上することとなる。
【００２３】
第２の実施の形態
図４には、本願発明の第２の実施の形態にかかる吸収性物品が示されている。
【００２４】
この場合、下層接着層Ａを構成する第１接着層６は、高吸収性ポリマーを混入していないホットメルト接着剤を部分的に（例えば、スロットコートで）塗布して構成されており、第２接着層３は、第１接着層６が塗布されていない部分に高吸収性ポリマーを混入したホットメルト接着剤を部分的（例えば、スパイラル形状）に塗布して構成されている。このようにすると、高吸収性ポリマーを混入していないホットメルト接着剤の塗布量を節約することができる。その他の構成および作用効果は、第１の実施の形態におけると同様なので説明を省略する。
【００２５】
第３の実施の形態
図５には、本願発明の第３の実施の形態にかかる吸収性物品が示されている。
【００２６】
この場合、吸収体１の下面と下層接着層Ａとの間には、高吸収性ポリマーを散布してなる吸収層１１が介在せしめられている。このようにすると、吸収層１１も吸収性能を発揮することができるので、吸収体１における高吸収性ポリマーの量をさらに減量できることとなり、吸収体１のさらなる薄型化を図ることができる。その他の構成および作用効果は、第１の実施の形態におけると同様なので、説明を省略する。
【００２７】
第４の実施の形態
図６には、本願発明の第４の実施の形態にかかる吸収性物品が示されている。
【００２８】
この場合、吸収体１の下面と下層接着層Ａとの間には、液透過性の中間シート１２が介在せしめられている。該中間シート１２は、１枚でもよく、複数枚でも良い。なお、この場合、中間シート１２と吸収体１との接着性を確保するために、吸収体１と中間シート１２との間には、高吸収性ポリマーを混入していないホットメルト接着剤を塗布してなる中間接着層６′が介在せしめられている。このようにすると、液透過性の中間シート１２の介在により下層接着層Ｂに吸収された液体を分散させることができることとなり、吸収性能のより一層の向上を図ることができる。なお、前記中間シート１２として吸収性能を有するものを採用すれば、吸収体１における高吸収性ポリマーの量をさらに減量できることとなり、吸収体１のさらなる薄型化を図ることもできる。その他の構成および作用効果は、第１の実施の形態におけると同様なので、説明を省略する。
【００２９】
第５の実施の形態
図７には、本願発明の第５の実施の形態にかかる吸収性物品が示されている。
【００３０】
この場合、吸収体１の下面と表面シート２とは、高吸収性ポリマーを混入していないホットメルト接着剤を全面に塗布してなる下層接着層Ａ′を介して接着される一方、前記吸収体１の上面と前記表面シート２とは、高吸収性ポリマーを混入していないホットメルト接着剤を部分的に塗布してなる第１接着層５と高吸収性ポリマーを混入したホットメルト接着剤を部分的に塗布してなる第２接着層４とからなる上層接着層Ｂを介して接着されている。このようにすると、下層接着層Ａ′が吸収性を有していない分だけ、吸収体１における高吸収性ポリマーの減量分が少なくなるが、上層接着層Ｂによる吸収性向上分だけ、吸収体１中のパルプ量も減量できることとなり、吸収体１の薄型化に寄与する。なお、前記下層接着層Ａ′は、高吸収性ポリマーを混入していないホットメルト接着剤を部分的に（例えば、スロットコートで）塗布して構成してもよい。その他の構成および作用効果は、第１の実施の形態におけると同様なので、説明を省略する。
【００３１】
【発明の効果】
請求項１の発明によれば、パルプと高吸収性ポリマーとからなる吸収体を液透過性の表面シートによって被包してなる吸収性物品において、前記吸収体の下面と前記表面シートとを、ホットメルト接着剤を全面あるいは部分的に塗布してなる第１接着層と高吸収性ポリマーを混入したホットメルト接着剤を部分的に塗布してなる第２接着層とからなる下層接着層を介して接着して、下層接着層も吸収性能を有するようにしたので、吸収体における高吸収性ポリマーを減量しても吸収性物品の必要吸収能力を確保でき、その結果、吸収体中のパルプ量も減量できることとなり、吸収体の薄型化を図ることができるという効果がある。
【００３２】
請求項２の発明におけるように、請求項１記載の吸収性物品において、前記吸収体の下面と前記下層接着層との間に、高吸収性ポリマーを散布してなる吸収層を介在させた場合、吸収層も吸収性能を発揮することができるので、吸収体における高吸収性ポリマーの量をさらに減量できることとなり、吸収体のさらなる薄型化を図ることができる。
【００３３】
請求項３の発明におけるように、請求項１記載の吸収性物品において、前記吸収体の下面と前記下層接着層との間に、少なくとも一層の液透過性の中間シートを介在させた場合、液透過性の中間シートの介在により下層接着層に吸収された液体を分散させることができることとなり、吸収性能のより一層の向上を図ることができる。なお、前記中間シートとして吸収性能を有するものを採用すれば、吸収体における高吸収性ポリマーの量をさらに減量できることとなり、吸収体のさらなる薄型化を図ることもできる。
【００３４】
請求項４の発明におけるように、請求項１、２および３のいずれか一項記載の吸収性物品において、前記吸収体の上面と前記表面シートとを、ホットメルト接着剤を部分的に塗布してなる第１接着層と高吸収性ポリマーを混入したホットメルト接着剤を部分的に塗布してなる第２接着層とからなる上層接着層を介して接着した場合、一旦吸収体に吸収された液体の逆戻りが、高吸収性ポリマーを混入してなるホットメルト接着剤を部分的に塗布してなる第２接着層を含む上層接着層によって防止されることとなり、逆戻り防止性能が向上する。
【００３５】
請求項５の発明によれば、パルプと高吸収性ポリマーとからなる吸収体を液透過性の表面シートによって被包してなり、前記吸収体の下面と前記表面シートとを、ホットメルト接着剤を全面あるいは部分的に塗布してなる接着層を介して接着した吸収性物品において、前記吸収体の上面と前記表面シートとを、ホットメルト接着剤を部分的に塗布してなる第１接着層と高吸収性ポリマーを混入したホットメルト接着剤を部分的に塗布してなる第２接着層とからなる上層接着層を介して接着して、上層接着層も吸収性能を有するようにしたので、吸収体における高吸収性ポリマーを減量しても吸収性物品の必要吸収能力を確保することができ、その結果、吸収体中のパルプ量も減量できることとなり、吸収体の薄型化を図ることができるという効果がある。
【図面の簡単な説明】
【図１】本願発明の第１の実施の形態にかかる吸収性物品の縦断面図である。
【図２】本願発明の第１の実施の形態にかかる吸収性物品の上面図である。
【図３】本願発明の第１の実施の形態にかかる吸収性物品の製造手順を示す説明図である。
【図４】本願発明の第２の実施の形態にかかる吸収性物品の縦断面図である。
【図５】本願発明の第３の実施の形態にかかる吸収性物品の縦断面図である。
【図６】本願発明の第４の実施の形態にかかる吸収性物品の縦断面図である。
【図７】本願発明の第５の実施の形態にかかる吸収性物品の縦断面図である。
【符号の説明】
１は吸収体、２は表面シート、３は第２接着層、４は第２接着層、５は第１接着層、６は第１接着層、１１は吸収層、１２は中間シート、Ａ，Ａ′は下層接着層、Ｂは上層接着層。
【図１】
2004024569.tif 000003
【図２】
2004024569.tif 000004
【図３】
2004024569.tif 000005
【図４】
2004024569.tif 000006
【図５】
2004024569.tif 000007
【図６】
2004024569.tif 000008
【図７】
2004024569.tif 000009